(57)【特許請求の範囲】
【請求項１】
空気圧工具と駆動エア供給源とを連結するエアホースを巻装するためのエアホース巻き取りドラムの巻胴を中空とし、この巻胴の両端より内側にフランジを設け、該フランジの外側に突出した上記巻胴の両端の外周面をホースドラム支持体に形成した軸受部に回転自在に支持させ、上記両側のフランジの内側の外周面に、巻き取るべきエアホースの端部のカプラに接続可能なプラグを設けるとともに、
上記巻胴の端面には空気圧工具側に接続するエアホースのプラグ側に接続可能なカプラを少なくとも１個設け、前記巻胴の外周面のプラグと端面のカプラとを巻胴内部でエアホースを介して接続した
ことを特徴とする空気圧工具用ホースドラム。
【発明の詳細な説明】
【０００１】
【発明の属する技術分野】
本発明は空気圧工具と駆動エア供給源とを連結するエアホースを巻装するためのホースドラムに関する。
【０００２】
【従来技術】
エアコンプレッサ、工場配管等のエア供給源から離れた場所で空気圧工具を使用するときは、図４に示されるように長いエアホース１５をエア供給源１６と空気圧工具１７との間に接続して使用する。空気圧工具１７に接続するエアホース１５を巻回収納したホースドラム１８には、エア供給源１６に接続するための短い補助ホース１５ａが取り付けられており、ホースドラム１８に巻かれたエアホース１５の一端はホースドラム１８の内部で上記補助ホース１５ａ側と直接に連結され、他端に空気圧工具１７と接続可能なプラグが取り付けられ、エアホース１５を工具１７側に引き出して使用される。
【０００３】
【発明が解決しようとする課題】
しかしながら、従来のホースドラムでは、ホースドラムを補助ホースを介してエア供給源に接続し、ホースドラムをエア供給源の近くに設置した後、巻き取りドラムに巻装されているホースの端部を持ってホースをドラムから引き出しながら作業現場まで搬送する必要があり、長いホースを作業現場まで引きずって設置するのは大変な労力を要する。また、別の準備方法として、いったんホースドラムを作業現場近くに搬送し、ホースドラムに巻装されているエアホースの端部を現場近くに置き、ホースドラムからエアホースを引き出しながらコンプレッサの近くまで移動し、ホースドラムを設置して補助ホースを介してエア供給源とホースドラムとを接続する方法がある。この場合、エアホースの端部が固定されていないため、ホースドラムを手で回転させるか、エアホースを手で引き出しながら進む必要がある。この種のエアホースは３０ｍ以上程度あり、引き出すのも、巻き取るのも作業が煩わしかった。
【０００４】
また、ホースドラムに対してのエアホースと補助ホースとの接続は、直接に接続されているもので、簡単に着脱することができ、さらにホースドラムの内部で接続されているので、これらのエアホースを交換することは専門家でなければほとんど不可能であった。
【０００５】
さらに、１台のホースドラムには１個の空気圧工具が対応する構成であったから、空気圧工具毎にエアホースの接続を交換する等の煩わしい作業が必要であった。
【０００６】
本発明は上記問題点を解消し、ホースドラムをエア供給源に接続した後、ホースドラムを持って作業現場間で移動することによってすぐに作業を開始できるとともに、エアホースの交換作業を簡単に行なうことができ、さらにはホースドラムから複数の空気圧工具を使用することも可能にできる空気圧工具用ホースドラムを提供することをその目的とする。
【０００７】
【課題を解決するための手段】
本発明に係る空気圧工具用ホースドラムは、空気圧工具と駆動エア供給源とを連結するエアホースを巻装するためのエアホース巻き取りドラムの巻胴を中空とし、この巻胴の両端より内側にフランジを設け、該フランジの外側に突出した上記巻胴の両端の外周面をホースドラム支持体に形成した軸受部に回転自在に支持させ、上記両側のフランジの内側の外周面に、巻き取るべきエアホースの端部のカプラに接続可能なプラグを設けるとともに、
上記巻胴の端面には空気圧工具側に接続するエアホースのプラグ側に接続可能なカプラを少なくとも１個設け、前記巻胴の外周面のプラグと端面のカプラとを巻胴内部でエアホースを介して接続したことを特徴とする。
【０００８】
【発明の実施の形態】
図１において符号１はホースドラムを示す。このホースドラム１はホースドラム支持体２に巻胴３を回転自在に支持したもので、ホースドラム支持体２の上部には把手４ａが、下部には脚４ｂが形成され、両側にはドラム支持用の軸受部５が形成され、軸受部５には巻胴３が回転自在に支持されている。巻胴３の内部は中空に形成され、両側にはフランジ６が形成されているとともに、巻胴３の一側には巻き取りハンドル７が装着されている。
【０００９】
上記巻胴３の外周面には１個のプラグ８が設けられ、巻胴３の巻き取りハンドル７と反対側の端面にはカプラ９が設けられている。そして、上記プラグ８とカプラ９とは巻胴３の内部に配置された接続管１０によって流体的に接続されている。なお、このカプラは１個に限定されない。図３に示すように複数個設けていてもよい。この場合も、それぞれのカプラ９は上記プラグ８に流体的に接続する。
【００１０】
なお、図２に示すように、上記ホースドラム１には２種類のエアホース１１、１２が接続される。１つのエアホース１１はエア供給源１３に接続するものであり、他のエアホース１２は空気圧工具１４に接続するものである。前者のエアホース１１の一端にはカプラ９ａが取り付けられ、他端にはプラグ８ａが取り付けられている。また、空気圧工具１４に接続するエアホース１２の各端にもカプラ９ｂとプラグ８ｂが取り付けられている。
【００１１】
次に、上記２種類のエアホース１１、１２を上記ホースドラム１に接続する場合、図２に示されるように、エア供給源１３に接続するエアホース１１は、その一端のカプラ９ａを巻胴３の外周面のプラグ８に接続させた後、ハンドル７によってホースドラム１を回転させて巻き取り、他端のプラグ８ａをエア供給源１３に設けられたカプラ９ｃに接続させればよい。
【００１２】
このように、巻胴３の外周面に臨ませて配置したプラグ８には、カプラ・プラグ８付きの市販のエアホースのカプラ側を接続することによりエアホースの接続ができ、ホースドラム１へのエアホースの取付け作業を極めて容易に行なうことができ、また市販のエアホースを利用できるので、エアホースの交換作業についても専門家でなくても誰でも簡単に行なうことができる。
【００１３】
また、空気圧工具１４に接続するエアホース１２は、その一端のプラグ８ｂを上記巻胴３の端面から突出したカプラ９に接続させ、他端のカプラ９ｂを空気圧工具１４のプラグ８ｃに接続すればよい。
【００１４】
上記構成のホースドラム１を使用するときは、図３のようにホースドラム１に巻かれているエアホース１１のプラグ（８ａ）をコンプレッサ等のエア供給源１３に接続し、ホースドラム１の把手４を持ったまま作業現場近くまで移動すればよい。これによってエア供給源１３からホースドラム１まで簡単にエアホース１１を延ばし、すぐに作業を開始することができる。従来のように、ホースドラム１を手で回転させたり、エアホース１１を手で引き出す作業は不要となる。作業終了後は、同じくホースドラム１を持ってエア供給源１３の近くに行き、ハンドル７を回してエアホース１２を巻き取ればよい。
【００１５】
なお、ホースドラム１に複数のカプラを設けた場合は、複数の空気圧工具１４を使用することができ、空気圧工具毎にエアホースの接続を交換する等の煩わしい作業が不要となり、作業効率が向上する。
【図面の簡単な説明】
【図１】本発明に係るホースドラムの断面図
【図２】上記ホースドラムにエアホースを取り付ける場合の説明図
【図３】上記ホースドラムの使用態様説明図
【図４】従来のホースドラムの使用態様説明図
【符号の説明】
１  ホースドラム
３  巻胴
８、８ａ、８ｂ、８ｃ  プラグ
９、９ａ、９ｂ、９ｃ  カプラ
１１、１２  エアホース
【図１】
0003632497.tif 000002
【図２】
0003632497.tif 000003
【図３】
0003632497.tif 000004
【図４】
0003632497.tif 000005